(57)【要約】【課題】カラー複写機によって複写された複写物と原稿となった印刷物とを容易に見分けられる印刷物を提供することを目的とする。【解決手段】前記課題の目的を達成するために、少なくとも、第１の印刷領域と第２の印刷領域の２つの印刷領域からなる印刷物において、前記第１の印刷領域が、観察する角度によって異なる色で印刷され、前記第２の印刷領域が、前記第１の印刷領域の印刷色の拡散反射色と同一となる色で印刷されたことを特徴とする印刷物を提供する。【選択図】図１
2005014300.tif 000002
【特許請求の範囲】
【請求項１】
少なくとも、第１の印刷領域と第２の印刷領域の２つの印刷領域からなる印刷物において、
前記第１の印刷領域が、観察する角度によって異なる色で印刷され、
前記第２の印刷領域が、前記第１の印刷領域の印刷色の拡散反射色と同一となる色で印刷されたことを特徴とする印刷物。
【請求項２】
前記第１の印刷領域がパールインキで印刷され、前記第２の印刷領域がプロセスインキで印刷されたことを特徴とする請求項１に記載の印刷物。
【請求項３】
前記第１の印刷領域が金インキ、または、銀インキで印刷され、前記第２の印刷領域がプロセスインキで印刷されたことを特徴とする請求項１に記載の印刷物。
【請求項４】
前記第１の印刷領域の少なくとも一部が、前記第２の印刷領域上に毛抜き合わせ状態で重なることを特徴とする請求項１〜３に記載の印刷物。
【発明の詳細な説明】
【０００１】
【発明の属する技術分野】
本発明は、カラーコピー機による複写物を、偽物と判別するための、パールインキや金、銀インキによる印刷部を有する印刷物に関する。
【０００２】
【従来の技術】
近年、カラーコピー機による高額紙幣や商品券の偽造事件が頻発している。
そのために、紙幣や、高額商品券等の金券類は、デザインの一部にカラーコピー機のセンサーでは読み取ることができない小さな網点や細線を、同じ反射濃度でデザインされた絵柄の中に組み込んで印刷している。
その結果、これらの高額金券類をカラーコピー機によって複写すると、複写機のスキャナーが小さな網点や細線を読み落とし、その部分が白く抜けるために複写物であると判別される。
【０００３】
また、透明な樹脂で成形した光回折構造の凹凸面に金属を蒸着して、印刷エリアの一部に熱転写し、カラーコピー機による複写を牽制している。
上記光回折構造の場合は、複製に高度な製造技術を必要とするために熱転写された光回折構造そのものを偽造防止手段として利用している。
【０００４】
また、意匠性の向上、複写防止を目的としてデザインの一部にパール顔料を含有する印刷インキを使用する印刷物も登場している。
パールインキで印刷された印刷領域は、光源に対して正反射方向の角度から目視した時に、真珠に似た光沢を呈し、通常、印刷に使用されるプロセス用のカラーインキで印刷した印刷物では得られない効果を奏する。そのために、意匠性の向上を狙った印刷物には、しばしばパールインキが使用される。
また、パールインキで印刷した印刷部をカラーコピー機で複写した場合に、複写物は真珠に似た光沢を再現することができないために複写による偽造防止を目的とした金券類、重要書類などに使用される。
【０００５】
印刷物にパールインキを使用して、カラーコピー機による複写物を判別しようとする技術が開示されている（例えば特許文献１、特許文献２参照）。
また、真珠に似た光沢の質を向上させるためにパールインキの下地に無色のインキ（着色顔料を実質的に含まないメジウムを使用する）を印刷する技術が提案されている（例えば特許文献３参照）。
【０００６】
【特許文献１】
特開平９−２４０１３３号公報
【特許文献２】
特開２００１−９６８８７号公報
【特許文献３】
特開２００１−２６０５１７号公報
【０００７】
【発明が解決しようとする課題】
前記開示技術では、パールインキの知識を持ち合わせている者は、印刷物を正反射方向に傾けて偽物を判別できるが、パールインキを初めて見る者は、例えばパールインキが使用されている旨、印刷物に表示されていても瞬時に気が付くことは困難であるという欠点があった。
【０００８】
【課題を解決するための手段】
前記課題を解決するために本発明の印刷物の請求項１に記載の発明は、少なくとも、第１の印刷領域と第２の印刷領域の２つの印刷領域からなる印刷物において、前記第１の印刷領域が、観察する角度によって異なる色で印刷され、
前記第２の印刷領域が、前記第１の印刷領域の印刷色の拡散反射色と同一となる色で印刷されたことを特徴とするものである。
【０００９】
また、請求項２に記載の発明は、請求項１に記載の発明において、第１の印刷領域がパールインキで印刷され、第２の印刷領域がプロセスインキで印刷されたことを特徴とするものである。
【００１０】
また、請求項３に記載の発明は、請求項１に記載の発明において、第１の印刷領域が金インキ、または、銀インキで印刷され、第２の印刷領域がプロセスインキで印刷されたことを特徴とするものである。
【００１１】
また、請求項４に記載の発明は、請求項１〜３に記載の発明において、第１の印刷領域の少なくとも一部が、第２の印刷領域上に毛抜き合わせ状態で重なることを特徴とするものである。
【００１２】
【発明の実施の形態】
以下、図面を参照して、本発明の印刷物の実施の形態について説明する。
図１は、本発明の印刷物について説明するための図、図２は、図１の各領域の印刷色について説明するための図、図３は、本発明の印刷物とカラーコピー機による複写物の色の再現について説明するための図、図４は、図１の印刷物をカラーコピー機で複写する場合の基材、第１の印刷領域、第２の印刷領域、それぞれの印刷面の光の拡散について説明するための図、図５は、本発明の印刷物の一実施例、図６は、図５の複写物、である。
【００１３】
図１を参照して本発明の印刷物について説明する。
印刷物５の基材４には、少なくとも第１の印刷領域１、第２の印刷領域２を含む２つの印刷領域３、その他印刷領域（図示せず）の印刷が行なわれる。第１の印刷領域１と、第２の印刷領域２は、毛抜き合わせ状態で印刷される。
「毛抜き合わせ」とは、版ずれを考慮して髪の毛１本程度の重なりを設け、印刷したときに紙など基材の色の隙間が出ないように処理することである。
【００１４】
基材３としては、上質紙、コート紙、和紙、板紙、透明なプラスチックのフィルム、不透明なプラスチックフィルムなどから選択され、使用される。
【００１５】
また、本発明の印刷物としては商品券、株券、入場券、乗車券、チケットなどの金券類、及びキャッシュカード、クレジットカード、定期券、ＩＤカード等のカード類など、主に複写されて使用されては困る印刷物、意匠性を要求される印刷物が対象となる。
その他に、上記金券類、カード類ではないが特殊な包装材料、商業印刷物、書籍刊行物なども対象となる。
【００１６】
図２を参照して図１の各印刷領域の印刷色の一実施形態について説明する。
本発明の印刷物では、第２の印刷領域２の印刷色と、第１の印刷領域１の印刷色のカラーコピー機による拡散反射色が同一色となるように設定する。
【００１７】
パールインキによる印刷部は、光源に対して正反射光が観察できる方向（正反射方向）から観察した時にパール色（淡い赤紫色）を呈し、拡散反射色が観察できる方向（拡散反射方向）から観察した時に透明感を伴った淡黄色〜淡緑色を呈する。
即ち、正反射方向から観察した時にパール色を呈し、拡散反射方向から観察した時に透明感を伴った淡黄色〜淡緑色を呈する。
【００１８】
金インキ印刷部は、光源に対して正反射光が観察できる方向（正反射方向）から観察した時にメタリックな金色を呈し、拡散反射色が観察できる方向（拡散反射方向）から観察した時に黄色を呈する。
即ち、正反射方向から観察した時に金色を呈し、拡散反射方向から観察した時に黄色を呈する。
【００１９】
銀インキ印刷部は、光源に対して正反射光が観察できる方向（正反射方向）から観察した時にメタリックな銀色を呈し、拡散反射色が観察できる方向（拡散反射方向）から観察した時に灰色を呈する。
即ち、正反射方向から観察した時に銀色を呈し、拡散反射方向から観察した時に灰色を呈する。
【００２０】
上述のように、カラーコピー機による各印刷領域の複写色は、一般的に拡散反射色となるために、本発明の印刷物では、第２の印刷領域はプロセスインキによる第１の印刷領域の印刷色の拡散反射色で印刷する。
【００２１】
ここで、プロセスインキについて説明する。
減色混合の原色、即ち、イエロー（黄）、マゼンタ（紅）、シアン（藍）の３色に、ブラック（墨）を加えた４色を１セットとし、この４色のインキを重ね合わせれば全ての色が再現できるインキのことをプロセスインキという。
色の濃淡は、網点を大きくしたり、小さくしたりして再現する。
また、これらインキを所定の配合比で混合すれば１色で前記重ね刷りにより再現した色が得られる。
【００２２】
次に、パールインキ、金インキ、銀インキについて説明する。
パールインキは、真珠光沢を有する太刀魚や、鰊の鱗を生成して得られたグアニンの結晶や、天然雲母（マイカ）と酸化チタンから作られるパール顔料と呼ばれる無機顔料を透明なメジウムで溶いて印刷適性を付与したインキである。
パール顔料には、シルバータイプと、虹彩色タイプ、着色タイプがある。
シルバータイプは銀白色パールで、酸化チタンの被覆率や粒度の違いによって再現する。また、虹彩色タイプは光の干渉によって虹彩色に見えるもので、酸化チタン層の膜厚によって再現する。また、着色タイプは酸化チタンと、酸化鉄をコーティングしたものである。
また、金インキは、真鍮の粉末を透明なメジウムで溶いたり、銀インキに黄色の顔料又は、染料を混ぜて印刷適性を付与したインキである。
また、銀インキは、一般的にはアルミニウムの粉末を透明なメジウムで溶いて印刷適性を付与したインキである。
【００２３】
また、メジウムは、ワニス単体、または、白色顔料のみを分散した無彩色のインキで、着色顔料が入っていないために印刷された部分は透明感を伴う。
メジウムに添加物を加え、光沢を付与させたり、マット状に仕上げることができる。
【００２４】
図３を参照して本発明の印刷物とカラーコピー機による複写物の色の再現について説明する。図３で判るように、パールインキ、金インキ、銀インキによる印刷物を拡散反射方向から見た場合、正反射方向から見た場合、カラーコピーとした場合に、第１の印刷領域、第２の印刷領域はそれぞれ表に示した色に見える。
【００２５】
多くの印刷物は、拡散反射方向から見て使用される。
例えば、記入欄を伴った印刷物の場合、記入欄に記入する内容を文章で説明することが多く、表示された文章で印刷物の特徴部分を説明して注意を喚起することができる。例えば、真正な印刷物では異なった色で印刷されている印刷領域を設け、その部分を矢印などで明示し、同一色に変化している場合は、その印刷物は複写物であることを文章で記載し表示する。
即ち、表で示しているように、本来はパール色、金色、銀色で印刷されていなければならない部分が、周辺の印刷部と同じ淡黄色、黄色、灰色になっていれば容易に複写物（偽物）と判別することができる。
【００２６】
ここで、正反射色と、拡散反射色について説明する。
物体に光が当ると、物体の性質によって反射するか透過するかが決まり、反射する場合、反射光は、正反射光と拡散反射光とに分けられる。
正反射光とは、平行光線が入射すると入射光と同じ角度で入射側と逆の方向に反射する光をいう。
これに対して、拡散反射光とは、平行光線が入射すると正反射方向とは異なるさまざまな方向に反射する光のことをいう。
【００２７】
図４を参照して、図１の印刷物をカラーコピー機で複写する場合の基材面、第１の印刷領域面、第２の印刷領域面、それぞれの領域の光の拡散状態について説明する。
印刷物をコピーする場合、印刷物５は、印刷物５の下部（第１の印刷領域１、第２の印刷領域２が印刷されているコピー面）が、カラーコピー機のガラス面（図示せず）に接するようにセットされる。
カラーコピーのスタートボタンを押すと、カラーコピー機の光源６が、印刷物５のコピー面に沿って矢印方向７（光源の移動方向）に移動する。
カラーコピー機の光源６は、カラーコピー機のガラス面に対して斜め方向から入射光６０を照射する。
【００２８】
照射された光の内、真下に反射された光（拡散反射光）だけがカラーコピー機のセンサー（図示せず）に読み取られる。
即ち、基材面からは、拡散反射光３０１が、第２の印刷領域２の印刷インキ面からは拡散反射光２０１が、第１の印刷領域１の印刷インキ面からは拡散反射光１０１がセンサーに読み取られる。
ところが、第１の印刷領域１の印刷インキ面からは、インキの正反射光とは異なる色が拡散反射光１０１として反射される。
第１の印刷領域１の印刷面が光沢を有する比較的平滑な面である場合は、正反射光１０２が多くなり、拡散反射光１０１は少なく、従って、第１の印刷領域１の印刷部は、暗い色としてセンサーに認識される。
【００２９】
カラーコピー機のセンサーが第１の印刷領域の印刷部の拡散反射光１０１として認識する光の強度は、反射面の粗密状態によっても変わってくる。
そのために、実際に使用される基材を使用して印刷物を作成し、カラーコピー機で第１の印刷領域の印刷部の複写色を確認して第２の印刷領域の印刷色を決定しなければならない。
【００３０】
（実施例）
図５を参照して本発明の実施例について説明する。
本実施例では、第１の印刷領域を前述のパールインキで印刷した。
また、図５に示すような印刷物を次の条件で試作し、試作サンプルをカラーコピー機で複写し、試作サンプルと複写物の比較によって偽造防止効果を確認した。
【００３１】
まず、斤量６４ｇ／ｍ２の上質紙を使用し、オフセット印刷方式により、パールインキを所定の図柄で印刷した。
パールインキのパール顔料は、商品名イリオジン（メルク社販売）を使用し、オフセット用メジウムで調合した。
上記、十分乾燥させたパールインキの印刷部をカラーコピー機で複写し、複写色を確認、前記複写色に合わせてオフセット用プロセスインキを混合し、淡緑色〜淡黄色のインキを作製した。
【００３２】
図５に示すような、第２の印刷領域に相当する複写色印刷領域３１，３３、第１の印刷領域に相当するパールインキによる印刷領域３２の版下を毛抜き合わせで作製し、印刷のための版を作製した。
第１の印刷領域３２と、第２の印刷領域３１、３３は、使用される印刷機によっては、第１の印刷領域３２と、第２の印刷領域３１、３３の印刷位置精度が必ずしも設定通り得られない場合がある。
特に銀インキのようにバックの紙の色との濃度差が大きなインキの場合は、印刷位置が若干でも違った場合は、印刷が合わなかった境界部で紙の色が出てしまう。
そのために、隠蔽効果が高い銀インキのなどを第１の印刷領域に印刷する場合は、第１の印刷領域が第２の印刷領域３１、３３に一部重なるように第１の印刷領域の印刷版を少し大きめに作製する。
【００３３】
オフセットのプロセスインキを使用し、印刷領域３１，３３を淡黄色で印刷し、印刷領域３２をパールインキで印刷した。
両者の色差が生じないようにインキの色が調整されているが、印刷に当っては、ＣＩＥＬａｂ表色系（国際照明委員会によって認定された表色系）でいうΔＥ（デルタＥ）が１以下に収まるように印刷した。
ΔＥは、ＣＩＥＬａｂ表色系で２つの異なった色を管理する基準で、ΔＥ１の差とは、人の視覚で管理できる限界値と言われる。
【００３４】
また、「商品券」、「壱万円」のそれぞれの文字を墨版で印刷し、商品券３０の大きさに裁断し、５０枚試作した。
【００３５】
カラーコピー機は、ＰＩＸＥＬ−ＧシリーズＣＬＣ１１１０（キャノン製）を使用、前述の試作品５０枚から５０枚のカラー複写物を作成した。
図６は、図５の印刷物をカラーコピー機で複写したものである。
図６で判るように、試作品の複写物３００に再現された複写色印刷領域３１０、３３０は、複写物のパールインキによる印刷領域３２０に同化し、境界が判別できなくなり、明らかに印刷物とは異なったもであることが確認された。
【００３６】
パールインキと同様な方法で、金、銀インキについても確認を行ったところパールインキと同様な結果が得られ、本発明による効果が確認された。
【００３７】
【発明の効果】
１）請求項１に記載の発明によれば、少なくとも、第１の印刷領域と第２の印刷領域の２つの印刷領域からなる印刷物において、前記第１の印刷領域が、観察する角度によって異なる色で印刷され、前記第２の印刷領域が、前記第１の印刷領域の印刷色の拡散反射色と同一となる色で印刷されたことによってカラーコピーによって得られた複写物と、正規な印刷物を容易に判別することができる。
２）請求項２に記載の発明によれば、請求項１に記載の印刷物において、第１の印刷領域がパールインキで印刷され、第２の印刷領域がプロセスインキで印刷されたことによって複写物は、パールインキで印刷された部分とプロセスインキで印刷された領域との境界が無くなり複写物を的確に判別することができる。
３）請求項３に記載の発明によれば、請求項１に記載の印刷物において、第１の印刷領域が金インキ、または、銀インキで印刷され、第２の印刷領域がプロセスインキで印刷されたことによって複写物は金、または、銀インキで印刷された部分とプロセスインキで印刷された領域との境界が無くなり複写物を的確に判別することができる。
４）請求項４に記載の発明によれば、請求項１〜３に記載の印刷物において、第１の印刷領域の少なくとも一部が、第２の印刷領域上に毛抜き合わせ状態で重なることによって的確に複写物を判別することができる。
５）また、本発明の印刷物によれば、例えば商品券の場合、顧客から商品券を受け取った者、例えば商店や百貨店の従業員が、図５と、図６の違いを記憶していることによって従来の技術のように、商品券の真偽を判断するために顧客の目の前で商品券を傾けるような失礼な動作をする必要がなく、その結果間接的に顧客サービスの向上に繋げることができる。
【図面の簡単な説明】
【図１】本発明の印刷物について説明するための図である。
【図２】図１の各印刷領域の印刷色について説明するための図である。
【図３】本発明の印刷物とカラーコピー機による複写物の色の再現について説明するための図である。
【図４】図１の印刷物をカラーコピー機で複写する場合の基材、第１の印刷領域、第２の印刷領域、それぞれの印刷面の光の拡散について説明するための図である。
【図５】本発明の印刷物の一実施例である。
【図６】図５の複写物である。
【符号の説明】
１      第１の印刷領域
２      第２の印刷領域
３      ２つの印刷領域
４      基材
５      印刷物
６      光源
７      光源の移動方向
３０    印刷物（商品券）
３１、３３  パール，金，銀インキの拡散反射色による印刷領域
３２    パール，金，銀インキによる印刷領域
６０    入射光
１０１，２０１，３０１  拡散反射光
１０２  正反射光
３００  図５の印刷物３０の複写物
３１０、３３０  カラーコピー機による図５の３１、３３の複写部
３２０  カラーコピー機による図５の３２の複写部
【図１】
2005014300.tif 000003
【図２】
2005014300.tif 000004
【図３】
2005014300.tif 000005
【図４】
2005014300.tif 000006
【図５】
2005014300.tif 000007
【図６】
2005014300.tif 000008